(57)【要約】【課題】  1面目のみ印刷して課金不足が発生するケースにおいて、課金を追加して、ジョブのリカバリを実施した場合、課金不足が発生したページの次ページから新しい用紙に対して印刷を実施するため、課金不足が発生した出力紙が1面目のみの印刷となり、全ページ両面印刷を実施することができない課題がある。【解決手段】  ジョブをリカバリ状態にして、両面印刷を実施して課金不足が発生した際に追加課金し、１面目のみ印刷された印刷紙を、手差しトレイにセットして、片面印刷によりリカバリ印刷を実行することで、手差しトレイに関しては、２面目のみの片面印刷を実行し、その後の用紙はカセット段から用紙を選択し、両面印刷を実施する。【選択図】  図１
2010252082.tif 000002
【特許請求の範囲】
【請求項１】
情報入力手段で読込んだ対象情報を、情報出力手段によって出力する情報処理装置であって、
ユーザに対して課金を要求する課金手段と、
上記課金手段によって上記ユーザから課金を徴収することが不可能な場合、上記情報出力手段による上記対象情報の出力を中止するように動作制御する情報出力中止手段と、
上記情報出力中止手段によって上記対象情報の出力が中止される場合、出力中止された上記対象情報及び出力履歴及び出力中止直前の上記対象情報を保管する情報保管手段と、
出力中止直前の上記対象出力情報に応じて、動作制御する情報出力手段及び情報表示手段を備えたことを特徴とする情報処理装置。
【請求項２】
上記情報出力手段は、上記情報保管手段から得られる上記出力履歴に基づき、出力中止直前の上記対象出力情報から取り出した情報に応じて動作制御し、上記出力が中止された時点で未出力な上記対象情報から再出力を開始することを特徴とする請求項１記載の情報処理装置。
【請求項３】
上記情報保管手段により上記対象情報を保管する場合、当該保管毎に、秘密情報を設定する秘密情報設定手段を有し、
上記情報出力手段は、上記秘密情報設定手段により設定された上記秘密情報が入力されたときのみ、出力中止された上記対象情報を再出力することを特徴とする請求項１記載の情報処理装置。
【請求項４】
上記情報保管手段に保管される上記対象情報の保管期間、保管料金、及び保管取消の少なくとも何れかを設定する保管情報設定手段と、
上記保管情報設定手段で設定された条件に応じて、上記情報保管手段に保管される上記対象情報の保管を制御する保管制御手段と、上記保管情報設定手段から得られる上記保管期間及び上記保管料金に基づき、上記対象情報を保管するための課金を求める保管課金手段とを有し、
上記課金手段は、上記保管課金手段で得られる上記保管課金を加算した上記課金を要求することを特徴とする請求項１記載の情報処理装置。
【請求項５】
上記保管制御手段は、上記保管情報設定手段に設定された上記保管取消を回避する上記保管期間の経過後に、又は上記対象情報をすべて出力後に、上記情報保管手段に保管された上記対象情報を取り消すことを特徴とする請求項４記載の情報処理装置。
【請求項６】
複数の機器が互いに通信可能に接続されている情報処理システムであって、
上記機器のうち少なくとも１つの機器は、請求項１〜５の何れかに記載の情報処理装置の機能を有することを特徴とする情報処理システム。
【請求項７】
情報入力ステップで読込んだ対象情報を、情報出力ステップによって出力する情報処理方法であって、
ユーザに対して課金を要求する課金ステップと、
上記課金ステップによって上記ユーザから課金を徴収することが不可能な場合、上記情報出力ステップによる上記対象情報の出力を中止するように動作制御する情報出力中止ステップと、
上記情報出力中止ステップによって上記対象情報の出力が中止される場合、出力中止された上記対象情報及び出力履歴を保管する情報保管ステップとを含んだことを特徴とする情報処理方法。
【請求項８】
コンピュータを所定の手段として機能させるためのプログラムであって、
上記所定の手段は、情報入力手段で読込んだ対象情報を、情報出力手段によって出力する手段であって、
ユーザに対して課金を要求する課金手段と、
上記課金手段によって上記ユーザから課金を徴収することが不可能な場合、上記情報出力手段による上記対象情報の出力を中止するように動作制御する情報出力中止手段と、上記情報出力中止手段によって上記対象情報の出力が中止される場合、出力中止された上記対象情報及び出力履歴を保管する情報保管手段とを備えることを特徴とするプログラム。
【請求項９】
請求項８記載のプログラムを記録したことを特徴とするコンピュータ読み取り可能な記憶媒体。
【発明の詳細な説明】
【技術分野】
【０００１】
本発明は、デジタル複写機等を用いて、複写対象に記載された情報を印刷する情報処理装置、情報処理システム、情報処理方法、それを実施するためのプログラムを記憶したコンピュータ読取可能な記憶媒体、及び当該プログラムに関するものである。
【背景技術】
【０００２】
近年、デジタル複写機は、例えば、複写対象の画像情報等を、撮像部(CCD)によって、読み取ってデジタル信号化し、さらにこのデジタル信号データ(画像データ)に対して種々の画像処理を施した後、レーザ信号に変換し、電子写真技術によってレーザ信号を記録媒体上に記録している。
【０００３】
また、上記画像データをハードディスクなどの画像記憶メモリに一旦記憶しておき、画像記憶メモリから上記画像データを読み出した後に、画像形成を行うデジタル複写機も開発されている。このようなデジタル複写機の場合、スキャナ等を用いて複写対象の画像情報を読み込む動作を一回行い、画像データを生成すれば、後は何回でも繰り返してこの画像データに任意の画像処理を施して画像形成を行える。このため、デジタル複写機には、例えば、電子画像ソートなどの機能が搭載されている。
【０００４】
このようなデジタル複写機を使用し、コンビニエンスストア等の一般消費者が訪れる店舗にコピー機が設定される状況は常識となっており、設定されるコピー機の種類としては、高機能を備えたデジタル複合機が主流となってきている。また、コンビニエンスストア等の店舗に備え付けられたデジタル複写機を使用する場合、ユーザが使用する代償として、課金の支払いが要求される。この課金をユーザから徴収するには、例えば、デジタル複写機に備えられた貨幣投入機構に、該当する金額の貨幣を入金して現金処理することや、カード(プリペイドカードやクレジットカード等)の決済による間接的な課金処理が行われることによって実現される。
【０００５】
上述したような何れの課金徴収の場合、ユーザがデジタル複写機による印刷実行中に、投入貨幣又はカードの使用可能残高が無くなる状況が発生し得る。仮に、印刷実行中に使用可能残高が無くなった場合、情報入力手段で読込んだ対象情報を保存し、追加課金することで継続して印刷出力をする技術がある。 (特許文献1参照)
【先行技術文献】
【特許文献】
【０００６】
【特許文献１】特開2004−54355号公報
【発明の概要】
【発明が解決しようとする課題】
【０００７】
上述した課金徴収型のデジタル複写機を使用する場合に投入貨幣または、カードの使用可能残高が無くなる状況が発生しうる場合に、課金に応じて印字可能な原稿分のみの印刷を実施する。残りの原稿分は保存しておき、追加課金することで、継続して印刷することが可能となる。この場合、新しい用紙に対し、保存ジョブから継続印刷を実施する。
【０００８】
課金徴収装置の種類によっては、印刷中の課金返却などにより、いつどのタイミングで課金残高が無くなるか判断できない装置がある。そのような装置を使用する場合において、両面印刷を実施中に、課金不足となるケースで、かつ、1面目が印字完了している場合においては、2面目に対して白紙面をつける処理を実施することで対応している。
【０００９】
しかし、上述した1面目のみ印刷して課金不足が発生するケースにおいて、課金を追加して、ジョブのリカバリを実施した場合、課金不足が発生したページの次ページから新しい用紙に対して印刷を実施するため、課金不足が発生した出力紙が1面目のみの印刷となり、全ページ両面印刷を実施することができないか課題がある。
【００１０】
そこで、本発明は上記の問題点を解決するためになされたもので、デジタル複合機の両面印刷途中において、課金残高不足のため1面目しか印字されなかったページをリカバリするケースにおいて、リカバリジョブを実施するまえに、デジタル複写機内部で1面目からの印刷か2面目からの印刷であるかを判断し、1面目からの印刷である場合は、給紙段からの印刷を実施し、2面目からの印刷である場合、ユーザに、1面目のみ印刷された出力紙を手差しトレイにセットするように促し、セット完了したのちに2面目のみの片面印刷を実施し、その後は通常どおりカセット段からの給紙により印刷を継続することで、課金不足が発生しないケースと同等の料金かつ、出力紙が全ページ両面印刷となることを目的とする。
【課題を解決するための手段】
【００１１】
上記の目的を達成するために、本発明は、情報入力手段で読込んだ対象情報を、情報出力手段によって出力する情報処理装置であって、ユーザに対して課金を要求する課金手段と、上記課金手段によって上記ユーザから課金を徴収することが不可能な場合、上記情報出力手段による上記対象情報の出力を中止するように動作制御する情報出力中止手段と、上記情報出力中止手段によって上記対象情報の出力が中止される場合、出力中止された上記対象情報及び出力履歴及び出力中止直前の上記対象情報を保管する情報保管手段と、出力中止前の対象情報に応じて、動作制御する情報出力手段及び情報表示手段とを備えたことを特徴とする。
【００１２】
また、本発明は、複数の機器が互いに通信可能に接続されている情報処理システムであって、上記機器のうち少なくとも１つの機器は、請求項１〜９の何れかに記載の情報処理装置の機能を有することを特徴とする。
【００１３】
また、本発明は、情報入力ステップで読込んだ対象情報を、情報出力ステップによって出力する情報処理方法であって、ユーザに対して課金を要求する課金ステップと、上記課金ステップによって上記ユーザから課金を徴収することが不可能な場合、上記情報出力ステップによる上記対象情報の出力を中止するように動作制御する情報出力中止ステップと、上記情報出力中止ステップによって上記対象情報の出力が中止される場合、出力中止された上記対象情報及び出力履歴を保管する情報保管ステップとを備えたことを特徴とする。
【００１４】
また、本発明は、請求項８記載のプログラムをコンピュータ読み取り可能な記憶媒体に記録したことを特徴とする。
【発明の効果】
【００１５】
本発明は、両面印刷を実施中に課金不足が発生し1面目しか印刷されないケースにおいても、課金不足が発生しないケースと同様の金額及び同等の出力紙をユーザに提供することができる効果がある。
【００１６】
本発明によれば、情報入力手段により読込んだ対象情報の出力（印刷）実行中に、当該出力により発生する課金を支払うための残高が無いために、対象情報の出力が中断した場合、ユーザに対して中断した出力ジョブの一時保管を行うか否かを判断させ、一時保管を希望する場合は、出力履歴とともに対象情報を保管し、また、ユーザには所定の秘密情報（例えば、ＩＤ番号及びパスワード等）を付与することで、中断した出力頁から出力の再開を行うように構成している。
【００１７】
このため、情報出力途中において、課金残高不足のため出力が中断した場合でも、簡易且つ手間無く出力再開を行うことができるようになる。
【００１８】
具体的には例えば、ユーザが、課金機能を有する情報処理装置（デジタル複写機など）を用いて対象情報（複写原稿など）を印刷している途中に手持ちの現金又は残高のあるプリペイドカード等が無くなってしまい、対象情報すべてを連続して印刷することができない状況が生じても、ユーザは当該印刷ジョブを情報処理装置に一時的に保管するように構成すれば、後で、保管してある当該ジョブを印刷することができる。
【００１９】
ユーザは、中断した印刷を再開するために、再度、情報処理装置に対象情報を読込ませる必要は無く、情報処理装置は、一時保管してある対象情報から出力を再開することが可能である。しかも、情報処理装置は出力履歴も対象情報とともに保管しているため、出力再開するとき、既に印刷が終了している情報については重複した出力を行わず、未出力の対象情報から出力を再開することができる。
【００２０】
このように、ユーザは、後で一時保管した印刷ジョブ（対象情報）をいつでも出力することができるので、他のユーザに対して、情報処理装置を占有することがなくなり、情報処理装置の使用効率を向上させることができる。
【００２１】
上記一時保管した印刷ジョブの出力を再開する場合、印刷ジョブごとに、秘密情報（例えば、ジョブＩＤ番号及びパスワード等）をユーザに対して付与するように構成すれば、当該秘密情報が入力されて情報の一致が確認されない限り、情報処理装置は印刷ジョブの再開を行わないように動作制御することが可能となり、これにより、認証の得られたユーザ以外に対象情報が漏洩することを防止することができる。
【００２２】
また、一時保管された印刷ジョブに対して、経過時間に応じて、保管料としての保管課金処理が行われる保管課金手段を設けるように構成すれば、装置提供者（装置管理者）側は、装置資源の使用料として妥当な料金をユーザから徴収できる。さらに、一時保管してあった対象情報を、所定期間（時間）経過後、消去することができる保管制御手段を設けるように構成すれば、ユーザが放置したままの対象情報が、情報処理装置の記憶領域に、長期間保管されることを防ぐことができ、ＨＤＤ資源を効率よく使用することが可能となる。
【図面の簡単な説明】
【００２３】
【図１】本発明を適用したデジタル複写機１００の全体構成を示す図である。
【図２】デジタル複写機１００における制御部１１０の構成を示す図である。
【図３】デジタル複写機１００における操作部１５０の概観図である。
【図４】デジタル複写機１００のリーダー部２００及びプリンタ部３００の断面を示した図である。
【図５】デジタル複写機１００の印刷動作を示したフローチャートである。
【図６】デジタル複写機１００の印刷動作を示したフローチャートである。
【図７】液晶表示部２３８に表示される、ユーザに対するカード入力要求画面例を示した図である。
【図８】液晶表示部２３８に表示されるモード設定画面例を示す図である。
【図９】デジタル複写機１００の印刷動作を示したフローチャートである。
【図１０】デジタル複写機１００の印刷動作を示したフローチャートである。
【図１１】デジタル複写機１００の印刷動作を示したフローチャートである。
【図１２】デジタル複写機１００の印刷動作を示したフローチャートである。
【図１３】液晶表示部２３８に表示されるコピー中の画面表示例を示す図である。
【図１４】液晶表示部２３８に表示される残金無しで中断中の画面表示例を示す図である。
【図１５】液晶表示部２３８に表示されるＩＤ発行画面例を示す図である。
【図１６】液晶表示部２３８に表示される保存コピーキー７０７表示画面例を示す図である。
【図１７】液晶表示部２３８に表示されるＩＤ入力画面例を示す図である。
【図１８】デジタル複写機１００の印刷動作を示したフローチャートである。
【図１９】デジタル複写機１００の印刷動作を示したフローチャートである。
【図２０】デジタル複写機１００による印刷結果を示す図である。
【図２１】液晶表示部２３８に表示されるユーザモード画面例を示す図である。
【図２２】液晶表示部２３８に表示されるシステム管理情報（部門ＩＤ番号及び暗証番号）の入力画面を示す図である。
【図２３】液晶表示部２３８に表示されるシステム管理設定の選択画面を示す図である。
【図２４】液晶表示部２３８に表示される、保管コピーの管理情報を設定する画面を示した図である。
【図２５】デジタル複写機１００の印刷動作を示したフローチャートである。
【図２６】液晶表示部２３８に表示される保管課金の情報を表示した画面例を示す図である。
【図２７】液晶表示部２３８に表示される保管ジョブ消去を知らせる画面例を示す図である。
【図２８】デジタル複写機１００の印刷動作を示したフローチャートである。
【発明を実施するための形態】
【００２４】
以下、本発明の実施の形態について、図面を用いて説明する。
【実施例１】
【００２５】
本発明は、例えば、図１に示すようなデジタル複写機１００に適用される。
【００２６】
本実施の形態のデジタル複写機１００では、印刷実行中に課金のために使用可能な残高が無く印刷が中断した場合に、ユーザに対して中断した印刷ジョブの一時保管を行うか否かを判断させ、一時保管を希望するユーザには所定の秘密情報（ＩＤ番号及びパスワード）を付与して、中断した印刷頁から印刷再開を行うように構成している。
【００２７】
以下、本実施の形態のデジタル複写機１００の構成及び動作について具体的に説明する。
【００２８】
＜デジタル複写機１００の構成＞
図１に示すように、デジタル複写機１００は、リーダー部（情報入力手段）２００、制御部（コントローラ部）１１０、カードＲ／Ｗ（リード／ライト）部１７０、操作部１５０、画像蓄積部１６０、プリンタ部（情報出力手段）３００を含む構成としている。
【００２９】
リーダー部２００は、スキャナユニット２１０及び原稿給紙ユニット２５０を備えている。スキャナユニット２１０は、後述するプリンタ部３００が出力（印刷）する記録紙の元情報となる原稿（印刷対象）を、光学的に読み取る。原稿給紙ユニット２５０は、スキャナユニット２１０が上記原稿を一枚ずつ読込むことができるように、ユーザがセットした原稿をスキャナユニット２１０へ搬送する。
【００３０】
プリンタ部３００は、複数種類の記録紙が保管された記録紙カセットから所定の記録紙を給紙する給紙ユニット３１０と、画像データを記録紙に転写又は定着するマーキングユニット３２０と、印刷された記録紙をデジタル複写機１００外へ出力する排紙ユニット３３０と、ステイプル処理又はソート処理等を行うフィニッシャ部５００とを備えている。
【００３１】
プリンタ部３００では、リーダー部２００に含まれるスキャナユニット２１０が読込んだ原稿の情報を、マーキングユニット３２０が給紙ユニット３１０に格納された記録紙上に転写し、次に、フィニッシャ部５００によってステイプル処理等を必要に応じて施し、最後に、排紙ユニット３３０が記録紙を搬送してデジタル複写機１００外に排出する。
【００３２】
制御装置１１０は、デジタル複写機１００全体の動作制御を司るためのものであり、リーダー部２００及びプリンタ部３００を電気的に接続している。
【００３３】
すなわち、制御装置１１０は、リーダー部２００において、スキャナユニット２１０が原稿を読み取るタイミングや、原稿給紙ユニット２５０が原稿をスキャナユニット２１０に搬送するタイミングを制御する。また、制御装置１１０は、リーダー部２００が読み取った原稿からデジタル信号データ（画像データ）を生成し、画像蓄積部１６０へ格納する。また、制御装置１１０は、生成した画像データをプリンタ部３００へ出力し、上述したプリンタ部３００における記録紙の給紙、情報の転写、及び記録紙の排出等の動作のタイミング制御を行っている。
【００３４】
制御装置１１０は、ネットワーク（ＬＡＮ等）４００を介して、デジタル複写機１００外のコンピュータ（ＰＣ）４０１、４０２とも接続する。
【００３５】
このため、制御装置１１０は、画像データをコードデータに変換し、ネットワーク（ＬＡＮ）４００を介して、コンピュータ４０１、４０２へ送信する。また逆に、制御装置１１０は、ネットワーク４００を介して、コンピュータ４０１、４０２からコードデータを受信して画像データに変換し、プリンタ部３００はこの画像データを出力する。
【００３６】
操作部１５０は、ユーザがデジタル複写機１００を操作するための、例えば、液晶タッチパネル等で構成されたユーザインタフェースであって、制御部１１０と接続している。
【００３７】
カードＲ／Ｗ（リード／ライト）部１７０は、制御部１１０と接続しており、印刷の代償である課金についての徴収に、カード（プリペイカード等）が用いられる場合、使用残高の読み込み又は書込みを行う。
【００３８】
尚、上述したように、制御部１１０は、生成した画像データを画像蓄積部１６０に蓄積するため、プリンタ部３００は、画像蓄積部１６０から画像データを読み出して印刷することが可能となる。この場合、リーダー部２００による原稿の読み込みとプリンタ部３００による印刷動作は、非連続（非同期）で行なわれるので、以前読み込んだ原稿を、その後、複数回、読み出して印刷することもできる。
【００３９】
＜制御部１１０の構成＞
ここでは、制御部１１０の構成について、図２を用いて説明する。
【００４０】
ＣＰＵ１２０は、デジタル複写機１００全体を制御するための根幹となるコントローラである。
【００４１】
ＲＡＭ１２１は、ＣＰＵ１２０による動作制御で使用する記憶メモリである。例えば、ＲＡＭ１２１は、ハードディスク（ＨＤ）に格納されているソフトウエアプログラムを読み出して格納するプログラム領域、ＣＰＵ１２０のワークメモリとして使うためのワーク領域、外部より受信したＰＤＬデータを格納するＰＤＬデータ蓄積領域、生のビットマップ画像を展開するための生画像蓄積領域、及び圧縮された画像を蓄積するための圧縮画像蓄積領域等に分かれている。
【００４２】
ＲＯＭ１２３は、ブートＲＯＭであり、ＣＰＵ１２０による動作制御のためのブートプログラムを格納している。
【００４３】
ＨＤＤ１２４は、ハードディスクドライブで、例えば、システムソフトウエア又は圧縮画像データ等を格納する。
【００４４】
操作部Ｉ／Ｆ１２２は、操作部１２０とのインターフェース部であり、画像データを操作部１５０に出力して表示する。また、ユーザが操作部１５０から入力した情報を、ＣＰＵ１２０に伝える役割を担う。
【００４５】
ネットワーク１２５は、ＬＡＮ１２６に接続し、ＬＡＮ１２６上の機器と情報の入出力を行う。
【００４６】
モデム１２７は、公衆回線１２８に接続され、公衆回線１２８上の機器と情報の入出力を行う。
【００４７】
ＤＭＡＣ１３２は、ダイレクトメモリアクセスコントローラであり、ＲＡＭ１２１内でのデータの転送、及びＲＡＭ１２１とＨＤＤ１２４間でのデータの送受信を制御する。
【００４８】
シリアル通信部１２４は、カードＲ／Ｗ部１７０とＣＰＵ１２０間で、シリアル通信によってデータの送受信を行う為にこの制御を司る部分である。
【００４９】
以上のデバイスがシステムバス１２８上に配置される。
【００５０】
イメージバスＩ／Ｆ１３０は、データ構造を変換するバスブリッジであり、システムバス１２８と画像を高速に転送するための画像バス１３１を接続する。
【００５１】
画像バス１３１は、例えばＰＣＩバス、又はＩＥＥＥ１３９４で構成される。
【００５２】
画像バス１３１上には、以下のデバイスが配置される。
【００５３】
ＲＩＰ（ラスターイメージプロセッサ）１３３は、ＰＤＬコードをビットマップイメージに展開する。
【００５４】
デバイスＩ／Ｆ部１３４は、画像入出力デバイスであるリーダー部２００、プリンタ部３００及び制御部１１０を接続し、画像データ又は制御データの送受信を行う。
【００５５】
スキャナ画像処理部１３５は、入力画像データに対して補正や、加工、或いは編集等を行う。
【００５６】
プリンタ画像処理部１３６は、プリント出力データに対して画像の補正や、回転、或いは解像度変換等を行う。
【００５７】
画像圧縮部１３７は、ＪＢＩＧや、ＭＭＲ、或いはＭＨ等の圧縮伸張処理を行う。
【００５８】
＜操作部１５０の構成＞
ここでは、制御部１１０に接続する操作部１５０の構成について説明する。
【００５９】
図３は、操作部１５０の概観図を示したものである。
【００６０】
ＬＣＤタッチパネル６００は、主なモード設定又は状況表示を行う。
【００６１】
テンキー６０１は、例えば、印刷枚数の指定等のため、０〜９等の数値をユーザが入力するために使用される。
【００６２】
ＩＤキー６０２は、例えば、デジタル複写機１００が部門管理等されている場合、その部門番号や暗号情報等の秘密情報を入力する際に使用される。
【００６３】
リセットキー６０３は、設定された数値又はモードをリセットする。
【００６４】
ガイドキー６０４は、例えば、モード設定についての説明画面を表示する。
【００６５】
ユーザーモードキー６０５は、モード設定をユーザモード画面に切替える。
【００６６】
割り込みキー６０６は、割り込みコピーを行う。
【００６７】
スタートキー６０７は、コピー動作をスタートさせる。
【００６８】
ストップキー６０８は、実行中のコピージョブを中止する。
【００６９】
ソフト電源ＳＷ６０９は、ユーザによって押下された場合、ＬＣＤ６００のバックライトを消し、デジタル複写機１００を低電力状態にする。
【００７０】
節電キー６１０は、ユーザによって押下された場合、デジタル複写機１００を節電状態にし、再度押下されると節電状態から復帰する。
【００７１】
コピーキー６１３、ボックスキー６１２、及び拡張キー６１１は、それぞれコピー、ボックス、及び拡張機能に移行させるためのファンクションキーである。例えば、図３は、コピーキー６１３が押下されたときのコピー標準画面が表示された状態を示しており、他のボックスキー６１２又は拡張キー６１１が押下されると、それぞれの機能の標準画面が表示される。
【００７２】
調整キー６１４は、ＬＣＤタッチパネル６００のコントラストを調整する。
【００７３】
カウンタ確認キー６１５は、これまでの使用コピー枚数の集計を表示する。
【００７４】
ＬＥＤ６１６は、例えば、コピージョブの実行中又は画像メモリへの画像蓄積中である場合、その状態を示すために点灯する。
【００７５】
エラーＬＥＤ６１７は、例えば、ジャム又はドアオープン等によってデジタル複写機１００がエラー状態になっている場合、点灯してエラーを知らせる。
【００７６】
電源ＬＥＤ６１８は、デジタル複写機１００のメインスイッチがＯＮ状態のときに点灯する。
【００７７】
＜デジタル複写機１００のリーダー部２００及びプリンタ部３００の基本動作＞
ここでは、デジタル複写機１００におけるリーダー部２００及びプリンタ部３００の基本動作について説明する。
【００７８】
図１に示したデジタル複写機１００における基本構成部であるリーダー部２００及びプリンタ部３００の断面図を図４に示す。
【００７９】
リーダー部２００の原稿給送ユニット２５０は、原稿を先頭から順に、１枚ずつプラテンガラス２１１上へ給送し、原稿の読み取り動作が終了した後、プラテンガラス２１１上の原稿を排出トレイ２１９に排出する。
【００８０】
原稿給送ユニット２５０によって、原稿がプラテンガラス２１１上に搬送されると、ランプ２１２が点灯し、光学ユニット２１３は、移動しながら原稿を露光走査する。この時の原稿からの反射光は、ミラー２１４、２１５、２１６、及びレンズ２１７によってＣＣＤイメージセンサ（以下ＣＣＤという）２１８へ導かれる。このようにして、ＣＣＤ２１８は、走査された原稿の画像を読み取り、得られた画像信号に対し所定の処理を施した後、この画像信号を制御部１１０へ転送する。
【００８１】
プリンタ部３００のレーザドライバ３２１は、レーザ発光部３２２を駆動するものであり、制御部１１０から出力される画像データに応じたレーザ光をレーザ発光部３２２に発光させる。このレーザ光は感光ドラム３２３に照射され、感光ドラム３２３にはレーザ光に応じた潜像が形成される。現像器３２４は、この感光ドラム３２３の潜像の部分に現像剤を付着する。
【００８２】
給紙ユニット３１０は、レーザ光の照射開始と同期したタイミングで、カセット３１１、カセット３１２、カセット３１３、カセット３１４、及び手差し給紙段３１５のいずれかの給紙部から記録紙を給紙し、この記録紙を搬送路３３１に乗せて転写部３２５へ搬送する。マーキングユニット３２０は、感光ドラム３２３に付着した現像剤を記録紙に転写する。
【００８３】
搬送ベルト３２６は、現像剤が付着した記録紙を定着部３２７に搬送し、定着部３２７は、熱と圧力により現像剤を記像紙に定着させる。その後、排紙ユニット３３０は、定着部３２７を通過した記録紙を、搬送路３３５及び搬送路３３４に運んで排出する。或いは、印字面を反転して記録紙を排出する場合には、排紙ユニット３３０は、記録紙を搬送路３３６及び搬送路３３８まで導き、そこから記録紙を逆方向に搬送し、搬送路３３７及び搬送路３３４に運んで排出する。
【００８４】
また、印刷において両面記録が設定されている場合、排紙ユニット３３０は、定着部３２７を通過した記録紙を、搬送路３３６からフラッパ３２９によって搬送路３３３に導き、その後記録紙を逆方向に搬送し、フラッパ３２９によって搬送路３３８及び再給紙搬送路３３２へと導く。排紙ユニット３３０は、再給紙搬送路３３２へ導かれた記録紙を、上述したタイミングで搬送路３３１を介して、転写部３２５へ搬送する。
【００８５】
排紙ユニット３３０によって搬送路３３４から排出された記録紙は、次に、フィニッシャ部５００へ搬送される。
【００８６】
フィニッシャ部５００は、搬送された記録紙を、先ずバッファユニット５０１へ送る。バッファユニット５０１は、場合に応じて、搬送されてきた記録紙をバッファローラに巻きつけてバッファリングする。例えば、この後行うステイプル等処理に時間がかかる場合、このバッファユニット５０１を利用することによって、デジタル複写機１００本体から搬送されてくる記録紙の搬送速度を一定に保つことができ、スループットの向上に役立たせることが可能である。
【００８７】
その後、上流排出ローラ対５０２及び下流排出ローラ対５０３は、記録紙をスタックトレイ５０７ａに排出する。
【００８８】
ここで、ステイプル処理が設定されている場合、ローレットベルト５０４は、記録紙後端が上流排出ローラ対５０２を抜けた直後に、当該記録紙を引き戻し、ステイプルトレイ５０５に排出する。
【００８９】
そしてステイプルトレイ５０５に所定の枚数分の記録紙が積載されたあと、ステイプルユニット５０６は、ステイプル処理を行う。下流排出ローラ対５０３は、ステイプル処理後の記録紙を排出トレイ５０７ａに排出する。
【００９０】
本実施の形態では、図２に示すように、排出トレイは、５０７ａ、５０７ｂの２つを備え、これらは連動して不図示の駆動ユニットにより上下に移動させることが可能である。尚、図２においては排出トレイ５０７ａに記録紙が排出される位置にあるが、これを上方向に移動して排出トレイ５０７ｂに排出させることも可能である。また、排出トレイ数は２つに限られることはなく、デジタル複写機１００の大きさに応じて複数のトレイが設置される。
【００９１】
＜デジタル複写機１００の印刷動作＞
ここでは、本実施の形態の特徴を示す印刷（コピー）動作を、図５、図６、図９〜図１２、図１８、及び図１９のフローチャートを用いて説明する。
【００９２】
以下、印刷動作における課金処理のため、カードＲ／Ｗ部１７０に挿入されるカードは、プリペイドカードを想定して説明することとする。尚、プリペイドカード以外の他のカード（クレジットカード等）を用いる場合や、又は現金による課金精算による場合でも、本発明の本質的な動作は同じである。
【００９３】
（１）操作部１２３及び液晶表示部２３８の制御タスクの動作
はじめに、操作部１２３及び液晶表示部２３８の制御タスクに関する動作を、図５に示すフローチャートを用いて説明する。尚、この制御部分は、電源立ち上げ時から起動し、常にランニング状態になっている。
【００９４】
操作部１２３は、カードＲ／Ｗ部１７０にカードが挿入されているか否かを判別する（図５に示すステップＳ１−１）。操作部１２３が、カードＲ／Ｗ部１７０にカードが挿入されていないと判別した場合（ステップＳ１−１のＮＯに分岐）、液晶表示部２３８は、操作部１２３からその通知を受信し、図７に示すようなカード無し画面を表示する（ステップＳ１−２）。この場合、操作部１２３及び液晶表示部２３８の動作はステップＳ１−１へ戻る。
【００９５】
一方、操作部１２３が、カードＲ／Ｗ部１７０にカードが挿入されていると判別した場合（ステップＳ１−１のＹＥＳに分岐）、操作部１２３は、デジタル複写機１００がアイドル状態であるか否かを判別する（ステップＳ１−３）。
【００９６】
ここでアイドル状態とは、デジタル複写機１００が、コピージョブを含めて他に何も実行しているジョブが無い状態を言う。
【００９７】
操作部１２３によって、デジタル複写機１００がアイドル状態であると判別された場合（ステップＳ１−３のＹＥＳに分岐）、操作部１２３は、アイドル状態での制御を行う（ステップＳ１−４）。尚、アイドル状態の具体的な処理内容については、後で説明する。
【００９８】
一方、操作部１２３によって、デジタル複写機１００がアイドル状態でないと判別された場合（ステップＳ１−３のＮＯに分岐）、操作部１２３は、デジタル複写機１００がどのようなジョブの動作中であるかを判断する（ステップＳ１−５）。
【００９９】
操作部１２３によって、デジタル複写機１００が、コピージョブの動作を実行していると判断された場合（ステップＳ１−５のＹＥＳに分岐）、操作部１２３は、コピー動作中に対応した処理（動作中制御）を行う（ステップＳ１−６）。この具体的な処理内容については後で詳細に説明する。
【０１００】
尚、コピー動作以外に、例えば、紙なし中断中又はジャム処理中など、通常の印刷動作でない例外的な動作処理については、当該例外ごとに個別の処理が実行されるが、本実施の形態に直接関わる動作でないため、説明を省略する。
【０１０１】
次に、上述した図５のステップＳ１―４の動作である、デジタル複写機１００がアイドル状態の操作部１２３の制御動作を、図６に示すフローチャートを用いて説明する。尚、本実施の形態に直接関係しない動作については、説明を省略している。
【０１０２】
先ず、操作部１２３は、アイドル状態のデジタル複写機１００に対して、ユーザによりモード設定操作がされたか否かを（図６に示すステップＳ２−１）監視している。
【０１０３】
デジタル複写機１００がアイドル状態の場合、操作部１２３では、図８に示すような画面が表示されている。ここでユーザは、例えば、コピー数、用紙選択、倍率、及びソート等のコピーモードを設定する。
【０１０４】
操作部１２３が、モード設定操作有りと判別した場合（ステップＳ２−１のＹＥＳに分岐）、操作部１２３は、ユーザが設定したモード情報を取り込む（ステップＳ２−２）。
【０１０５】
操作部１２３によるモード情報の取り込み、又はユーザによるモード設定がない場合、操作部１２３は、ユーザによってスタートキー６０７が押下され、これによりコピーが実行されたか否かを判別する（ステップＳ２−３）。
【０１０６】
スタートキー６０７が押下されコピーが開始された場合、操作部１２３は、コピーシーケンスを起動させる（ステップＳ２−４）。そして、操作部１２３は、ジョブが動作中状態に移行したか否かを判別する（ステップＳ２−５）。
【０１０７】
尚、操作部１２３が、ジョブが動作中状態に移行していないと判別する間（ステップＳ２−５のＮＯ）は、ジョブ動作中と判別されるまで、ジョブが動作中状態に移行したか否かを判別するループ処理を繰り返す。
【０１０８】
ジョブが動作中状態に移行していた場合（ステップＳ２−５のＹＥＳに分岐）、操作部１２３は、液晶表示部２３８に、図１３に示すようなコピー中画面表示を行ったあと（ステップＳ２−６）、処理を終了させる。
【０１０９】
（２）コピーシーケンス起動動作
ここでは、図９のフローチャートを用いて、上述したステップＳ２−４で起動されるコピーシーケンス起動動作に関し、本実施の形態に関わる部分について説明する。
【０１１０】
コピーシーケンスタスクが起動されると、先ず、詳細は後述するが、読込シーケンスが起動され（ステップＳ３−１）、次に、プリントシーケンス（ステップＳ３−２）が起動される。
【０１１１】
次に、読込シーケンス及びプリントシーケンスの両方のシーケンスが終了するのを待ち（ステップＳ３−３）、終了が確認された場合（ステップＳ３−３のＹＥＳに分岐）、コピーシーケンスは終了となる。
【０１１２】
次に、上述した図９に示すステップＳ３−１の読込シーケンスを、図１０のフローチャートを用いて、説明する。
【０１１３】
先ず、制御部１１０は、図６に示したステップＳ２−２において設定されたモードを参照し、デジタル複写機１００での原稿読込動作に必要な諸パラメータの設定を行う（ステップＳ４−１）。
【０１１４】
次に、リーダー部２００は、原稿一枚の読込を行う（ステップＳ４−２）。ＣＰＵ１２０は、読み込んだ画像データを、先ずＲＡＭ１２１に蓄積し、その後、画像圧縮部１３７は、画像データに対し画像圧縮を施して、ＨＤＤ１２４に書き込む（ステップＳ４−３）。
【０１１５】
次に、ＣＰＵ１２０は、リーダー部２００によって読み込む対象となる原稿が存在するか否かを判別する（ステップＳ４−３）。読み込み原稿が存在する場合（ステップＳ４−３のＹＥＳに分岐）、ステップＳ４−２へ戻って上述した原稿読み取り動作とＨＤＤ書込みを繰り返す。一方、読み込み原稿が存在する場合（ステップＳ４−３のＮＯに分岐）、ＣＰＵ１２０は、読込シーケンスを終了させる。
【０１１６】
ＣＰＵ１２０による読込シーケンスにおいては、後述するような、印刷課金用プリペイドカードの使用可能残金が無くなった場合においても、当該読込処理については影響されずに続行し、ＣＰＵ１２０は、対象原稿の全部を読み取るような制御動作を行う。
【０１１７】
（３）プリントシーケンス起動の基本動作
次に、上述した図９に示すステップＳ３−２のプリントシーケンスについて、図１１のフローチャートを用いて、説明する。
【０１１８】
先ず、制御部１１０は、図６に示したステップＳ２−２において設定されたモードを参照し、デジタル複写機１００でのプリント動作に必要な諸パラメータの設定を行う（ステップＳ５−１）。
【０１１９】
次に、制御部１１０は、ユーザが投入したプリペイドカードに、コピーを取ることが可能な金額が残っているか否かを判別する（ステップＳ５−２）。
【０１２０】
次に、プリペイドカードに残金がある場合（ステップＳ５−２のＹＥＳに分岐）、ＣＰＵ１２０は、画像圧縮部１３７に対し、上述した読込シーケンスにおいてＨＤＤ１２４内に格納された画像データを伸長しながら読み込み、これをＲＡＭ１２１へ出力する指令を送る（ステップＳ５−３）。
【０１２１】
次に、プリンタ部３００は、画像圧縮部１３７によってＲＡＭ１２１上に展開したビットマップの画像データを、印刷するための動作をする（ステップＳ５−４）。プリンタ部３００による印字動作が終わった時点で、記録用紙１枚分の印刷代金となる課金カウントを行い、当該課金分をプリペイドカードの残金から差し引く減算処理を行う（ステップＳ５−５）。
【０１２２】
次に、ＣＰＵ１２０は、対象原稿の全ページ分の印刷が終了したか否かを判別する（ステップＳ５−６）。全ページ印刷が終了した場合（ステップＳ５−６のＹＥＳに分岐）、プリンタ部３００は、設定されたセット数（置数）分の印刷を行う（ステップＳ５−７）。
【０１２３】
一方、全ページ印刷が未終了の場合（ステップＳ５−６のＮＯに分岐）、プリントシーケンスはステップＳ５−２へ戻る。
【０１２４】
プリンタ部３００が、設定されたセット数（置数）分の印刷を行った場合（ステップＳ５−７のＹＥＳに分岐）、ＣＰＵ１２０は、ＨＤＤ１２４内に蓄積されたそのコピージョブの全画像の消去処理を行い（ステップＳ５−８）、消去処理の終了後プリントシーケンス動作を終了する。
【０１２５】
一方、設定されたセット数（置数）分の印刷が終了していない場合、プリントシーケンス動作はステップＳ５−２へ戻る。
【０１２６】
次に、上述したステップＳ５−２でＮＯと判別された場合、すなわちプリペイドカードに残金が無い場合の処理について説明する。この場合、ＣＰＵ１２０は、印刷動作を一時中断させ、操作部１５０の制御タスクに対し、残金無しによる中断が発生したことを通知する（ステップＳ５−９）。
【０１２７】
次に、ＣＰＵ１２０は、ユーザ入力に基づいて操作部１５０からコピー中止の指示が来たか否かを判別する（ステップＳ５−１０）。コピー中止の指示がない場合（ステップＳ５−１０のＮＯに分岐）、さらに、ＣＰＵ１２０は、操作部１５０から一時保管指示が来ているか否かを判別する（ステップＳ５−１１）。
【０１２８】
操作部１５０から一時保管指示が来ている場合（ステップＳ５−１１のＹＥＳに分岐）、ＣＰＵ１２０は、例えば、一時中止するまでにどれだけの部数、ページ数の印字の履歴、ジョブＩＤ、及びパスワード等を、ＨＤＤ１２４内の所定の領域に保管する（ステップＳ５−１３）。さらに、ＣＰＵ１２０は、ＨＤＤ１２４内に蓄積されている画像データを、所定の指示があるまで保管しておく設定を行ったあと（ステップＳ５−１４）、当該プリントシーケンス処理を終了する。
【０１２９】
一方、操作部１５０から一時保管指示が来ていない場合（ステップＳ５−１１のＮＯに分岐）、ＣＰＵ１２０は、さらに、操作部１５０から再開指示が来ているか否かを判別する（ステップＳ５−１２）。
【０１３０】
ここで、再開指示があれば（ステップＳ５−１２のＹＥＳに分岐）、プリントシーケンス動作はリカバリページ面チェック（ステップＳ５−１５へ進み）、リカバリ先頭ページが両面2面目か否かをチェックする。2面目の場合（ステップＳ５−１５の2面目に分岐）、操作部１５０に操作手順の表示（ステップＳ５−１６）し、手差し給紙段３１５に出力紙を置いてスタートキー６０７を押下（ステップＳ５−１７）、印字していない面の印刷を行い（ステップＳ５−１８）、ステップＳ５−２へ戻る。それ以外の場合は、ステップＳ５−２へ戻る。再開指示がなければ（ステップＳ５−１２のＮＯに分岐）、プリントシーケンス動作はステップＳ５−１０へ戻る。
【０１３１】
また、ステップＳ５−１０でコピー中止の指示がある場合（ステップＳ５−１０のＹＥＳに分岐）、上述したステップＳ５−８へ進み、上述したように、ＨＤＤ１２４内に蓄積されたそのコピージョブの全画像の消去処理を行い（ステップＳ５−８）、消去処理の終了後プリントシーケンス動作を終了する。
【０１３２】
（４）プリントシーケンス起動動作の詳細
上記（３）では、プリントシーケンス動作の基本的フローについて説明したが、特に、上述した基本的フローの一部（図１１に示すステップＳ５−９〜ステップＳ５−１２）については、本発明の特徴動作であるので図１２のフローチャートを用いて詳細に説明する。すなわち、図１１に示すステップＳ５−９〜ステップＳ５−１２については、図１２に示すステップ（Ｓ６−３、Ｓ６−５、Ｓ６−７、及びＳ６−８）と重複している。
【０１３３】
尚、図１１に示すステップＳ５−９〜ステップＳ５−１２に示すシーケンス動作は、図５に示したフローチャート（操作部１５０による制御タスクのフローチャート）のステップＳ１−６での動作中制御の内容を示すフローチャートとなっている。
【０１３４】
図１２に示すように、先ず、ステップＳ６−１では、ＣＰＵ１２０は、プリントシーケンス動作がコピー中になったか否かを判別する（ステップＳ６−１）。コピー中と判別された場合（ステップＳ６−１のＹＥＳに分岐）、操作部は、液晶表示部２３８に、図１３に示すようなコピー中画面の表示を行う（ステップＳ６−２）。
【０１３５】
また、コピー中と判別されなかった場合（ステップＳ６−１のＮＯに分岐）、操作部は、ジョブが終了したか否かを判別し（ステップＳ６−１７）、ここでジョブが終了していれば動作中の処理を終了し、ジョブが未終了であればステップＳ６−３へ進む。
【０１３６】
次に、ＣＰＵ１２０は、残金無し中断が発生しているか否かを判別する（ステップＳ６−３）。
【０１３７】
残金無し中断が発生している場合、ＣＰＵ１２０は、液晶表示部２３８に図１４に示すような、残金無しで中断中であることを示す画面表示を行う（ステップＳ６−４）。尚、残金無し中断が未発生の場合は、ステップＳ６−１へ戻る。
【０１３８】
次に、ＣＰＵ１２０は、図１４に示すコピー中止キー７００がユーザによって押下されたか否かを判別し（ステップＳ６−５）、コピーを中止する場合（ステップＳ６−３のＹＥＳに分岐）、ＣＰＵ１２０は、シーケンスタスクに対して終了指示を出した後、動作中制御を終了する（ステップＳ６−１８）。
【０１３９】
一方、コピー中止でない場合（ステップＳ６−３のＮＯに分岐）、ＣＰＵ１２０は、ＣＰＵ１２０はカードの再挿入がされたか否かを判別する（ステップＳ６−６）。
【０１４０】
ＣＰＵ１２０はカードの再挿入がされていないと判別した場合（ステップＳ６−６のＮＯに分岐）、次に、ＣＰＵ１２０は、図１４に示す画面表示で一時保管キー７０１が押下されたか否かを判別する（ステップＳ６−７）。この場合、ユーザが一時保管キー７０１を押下していれば（ステップＳ６−７のＹＥＳに分岐）、ＣＰＵ１２０は、液晶表示部２３８に図１５に示すＩＤ発行画面を表示する（ステップＳ６−９）。
【０１４１】
一方、ユーザが一時保存キー７０１を押下していない場合（ステップＳ６−７のＮＯに分岐）、プリントシーケンス動作はステップＳ６−４へ戻る。
【０１４２】
ＣＰＵ１２０が、液晶表示部２３８に図１５に示すＩＤ発行画面を表示するとき、ＣＰＵ１２０はジョブ毎に固有のジョブＩＤを発行し、これを図１５に示すＩＤ番号欄７０２内に表示する。また、ＣＰＵ１２０は、ＩＤ番号とともに、ユーザに対してパスワードを設定するように促すメッセージ７０３を表示する。
【０１４３】
ＣＰＵ１２０は、ユーザがパスワードを設定したか否かを判別し（ステップＳ６−１０）、パスワード設定があった場合（ステップＳ６−１０のＹＥＳに分岐）、ＣＰＵ１２０は図１５に示すＩＤ発行画面上に、ＯＫキー７０６の表示を行う（ステップＳ６−１１）。
【０１４４】
一方、パスワード設定がなかった場合（ステップＳ６−１０のＮＯに分岐）、プリントシーケンス動作はステップＳ６−１２へ進む。
【０１４５】
ここで、図１５に示すＩＤ発行画面上のＯＫキー７０６は、ジョブの保管処理を継続するためのキーである。ユーザによりパスワードが設定されない状態でジョブが保管されると、後で間違ってジョブ結果が使用される懸念があるため、本実施の形態では、ジョブの一時保管の際にはパスワードの設定を前提としている。このため、ユーザがパスワードを設定しない限り、ＣＰＵ１２０はＯＫキーを表示させないようにしてある。尚、ユーザが入力するパスワードは、図１５に示すパスワード欄７０３に表示される。
【０１４６】
次に、ＣＰＵ１２０は、図１５に示すように、戻るキー７０５がユーザによって押下されたか否かを判別する（ステップＳ６−１２）。戻るキー７０５が押下されている場合（ステップＳ６−１２のＹＥＳに分岐）、プリントシーケンス動作は、その状態のままでステップＳ６−４へ戻る。
【０１４７】
一方、戻るキー７０５が押下されていない場合（ステップＳ６−１２のＮＯに分岐）、次に、ＣＰＵ１２０は、図１５に示す設定取消キー７０４が押下されたか否かを判別する（ステップＳ６−１３）。設定取消キー７０４が押下されている場合（ステップＳ６−１３のＹＥＳに分岐）、パスワードがすでに設定されていればこれを取り消し（ステップＳ６−１４）、その後、ステップＳ６−４へ戻る。
【０１４８】
一方、設定取消キー７０４が押下されていない場合（ステップＳ６−１３のＮＯに分岐）、ＣＰＵ１２０は、図１５に示すＯＫキー７０６が押下されたか否かを判別する（ステップＳ６−１５）。
【０１４９】
ＯＫキー７０６が押下されていない場合は（ステップＳ６−１５のＮＯに分岐）、プリントシーケンス動作はステップＳ６−１０へ戻る。一方、ＯＫキー７０６が押下されている場合（ステップＳ６−１５のＹＥＳに分岐）、ＣＰＵ１２０は、シーケンスタスクに対して一時保管指示を出したあと、動作中制御を中止する（ステップＳ６−１６）。
【０１５０】
（５）再プリントシーケンス動作
ここでは、図１６〜１９を用いて、ＣＰＵ１２０による再プリントの際のシーケンス動作について説明する。
【０１５１】
デジタル複写機１００内に、ユーザの指示を受けて一時保管状態のコピージョブが存在する場合は、図１６に示すように、液晶表示部２３８の標準画面内に保存コピーキー７０７が表示される。ユーザがこの保存コピーキー７０７を押下すると、液晶表示部２３８は、図１７に示すようなＩＤ入力画面に遷移する。
【０１５２】
ここで、ユーザは、上記ＩＤ入力画面のジョブＩＤ番号欄７０８に所定のジョブＩＤを入力し、またパスワード欄７０９に所定のパスワードを入力する。この場合、ユーザが液晶表示部２３８上の各欄のいずれかをタッチすれば、タッチした箇所は、例えば白黒反転し、そのときテンキー６０１を用いてユーザが入力した値が各欄に対して有効になる。
【０１５３】
図１７に示すＯＫキー７１０は、ジョブＩＤ番号欄７０８及びパスワード欄７０９に対して、ユーザが正しいＩＤ番号及びパスワードを入力して初めて表示され、ユーザはＯＫキー７１０を押下することで、再プリントシーケンス動作を開始させることができる。
【０１５４】
尚、設定取消キー７１２及び戻るキー７１１については、図１５で示した設定取消キー７０４及び戻るキー７０５の内容とそれぞれ同様なため、説明を省略する。
【０１５５】
（６）保管コピー設定時の操作部１５０のアイドル動作制御
保管コピーが設定されている場合、操作部１５０の制御タスクにおけるアイドル制御は、図６のフローチャートで説明した通常の場合と異なるため、図１８のフローチャートを用いて説明する。
【０１５６】
保管コピーの設定有無に拘わらず、操作部１５０の制御タスクにおけるアイドル制御は、基本的には図６に示したフローチャートの内容と同じになるが、相違点は、図６に示すステップＳ２−３又は図１８に示すステップＳ７−３（コピースタートがされたか否かの判別）において、ＹＥＳと判別されたあとの制御が異なっている。
【０１５７】
すなわち、ＣＰＵ１２０は、印刷動作が開始されたと判別した場合に、図６に示したようなコピーシーケンス起動を直ちに実行するのではなく、通常のコピーか否かを判別する（ステップＳ７−４）。
【０１５８】
ここで、保管コピー動作でなく、通常のコピー動作の場合（ステップＳ７−４のＹＥＳに分岐）、ＣＰＵ１２０は、通常のコピーシーケンスを起動するが（ステップＳ７−８）、保管コピー動作の場合（ステップＳ７−４のＮＯに分岐）、ＣＰＵ１２０は再プリントシーケンスを起動する（ステップＳ７−６）。
【０１５９】
尚、この他の処理については、図６で示した処理内容と同じであるので説明を省略する。
【０１６０】
次に、ステップＳ７−６で起動される再プリントシーケンス内容について、図１９のフローチャートを用いて詳細に説明する。
【０１６１】
先ず、ＣＰＵ１２０は、後述するような再開位置設定を行う（ステップＳ８−１）。例えば、図２０は、ユーザがページ数６で、部数４のコピーを設定した場合に期待される印刷結果を示している。ここで、３部目の３ページ目を印刷した時点で、ユーザは課金のための残金が無くなり、当該コピージョブを一時保管したとする。この場合、３部目の４ページ目以降がまだ印刷されていない部分なので再プリント時には、ユーザは、この３部目の４ページ目部分を先頭にして印刷を再開させれば良く、印字がこの位置から行われるように設定する。
【０１６２】
このときに必要な情報は、先述した図１１に示すステップＳ５−１３の印字履歴保存が行われているので、印刷再開の際に参照される。
【０１６３】
また、ステップ８−１に続くステップＳ８−２〜ステップＳ８−１９までの処理は、上述した図１１のステップＳ５−２〜ステップＳ５−１８の処理と同等である。但し、ステップＳ８−３におけるＨＤＤ１２４からの画像読み出し処理は、ステップＳ８−１での再開位置設定に従って行われることとなる。
【０１６４】
以上、本実施の形態によれば、デジタル複写機１００が再プリントを行う場合に、図１９で示すフローに従って動作制御すれば、ユーザはコピー中に残金が無くなっても、そのジョブを一時保管し、後に当該ジョブを印刷することができる。また、後で一時保管したジョブをいつでも印刷することができるので、他のユーザに対して、デジタル複写機１００を明け渡すことができ、デジタル複写機１００の使用効率をあげる効果がある。
【０１６５】
［第２の実施の形態］
本実施の形態では、第１の実施の形態に加えて、保管されているコピージョブに対して管理制御を付加した構成にしており、特に、保管コピージョブをデジタル複写機１００内に管理する時間に対する保管料金及び保管取消を詳細に設定できるようにし、保管コピージョブの印刷再開においては、上記保管料金を通常の印刷課金に加算にして徴収できるようにしている。
【０１６６】
以下、図２１〜２７を用いて、この管理制御について説明する。
【０１６７】
ユーザが、操作部１２３のユーザーモードキー６０５を押下すると、図２１に示すユーザモード画面が表示される。
【０１６８】
ユーザモード画面は、各ジョブに依存しないデジタル複写機１００の一般的な設定を行うための画面である。例えば、ユーザが、図２１に示すシステム管理設定キー８００を押下した場合、ユーザモード画面は、図２２の画面に遷移する。
【０１６９】
ここで、システム管理設定情報は、システム管理者のみが設定できる権限を持つため、ユーザがシステム管理者であることを認証するための情報、例えば、システム管理部門ＩＤ８０１及びシステム管理暗証番号（パスワード）８０２等を入力させる。
【０１７０】
ユーザは、テンキー６０１により対応するコードを入力したあと、図３で示した操作部１５０のＩＤキー６０２を押下すると、ＣＰＵ１２０は、システム管理部門ＩＤ８０１及びシステム管理暗証番号８０２に基づいて認証作業を実行する。認証が得られた場合、ユーザモード画面は、図２３の画面に遷移する。ここではじめて、システム管理者のみに許可された諸モードの設定が可能になる。
【０１７１】
次に、ユーザが、図２３に示す保管コピーの管理設定キー８０３を押下すると、ユーザモード画面は、図２４の画面に遷移する。この画面は、保管コピーの管理情報の設定を行うための画面であり、例えば、時間設定キー８０４、課金／消去設定キー８０５、設定取消キー８０６、戻るキー８０７、及びＯＫキー８０８を備えている。尚、設定取消キー８０６、戻るキー８０７、ＯＫキー８０８は、図１５で示した設定取消キー７０４、戻るキー４０５、ＯＫキー７０６と同様の機能を有するので説明を省略する。
【０１７２】
時間設定キー８０４は、システム管理部門がユーザ管理を行う時間の設定をする。本実施の形態では、この時間は、例えば、デジタル複写機１００にコピージョブが保管された時刻からの経過時間を想定する。
【０１７３】
課金／消去設定キー８０５は、時間設定キー８０４によって設定された時間が経過した後に、課金される１ページあたりの課金料金である。或いは、システム管理部門は、例えば、課金／消去設定キー８０５に「消去設定」を行うことで、保管していたコピージョブを消去させることもできる。
【０１７４】
具体的には例えば、図２４に示す場合、デジタル複写機１００に保管されたジョブは、先ず６時間（時間設定キー８０４に「６」が設定）経過した後に、１ページあたり１円（課金／消去設定キー８０５に「１」が設定）の料金が加算される。そして２４時間（時間設定キー８０４に「２４」が設定）経過した後には、１ページあたり５円（課金／消去設定キー８０５に「５」が設定）の料金が加算される。さらに、３６時間（時間設定キー８０４に「３６」が設定）経過した後は、１ページあたり１０円（課金／消去設定キー８０５に「１０」が設定）の料金が加算され、４８時間（時間設定キー８０４に「４８」が設定）経過したものは消去（課金／消去設定キー８０５に「消去」が設定）される。
【０１７５】
このような設定に基づいて、システム管理部門が実際に管理制御を行う場合のデジタル複写機１００における保管コピー管理タスクを、図２５に示すフローチャートを用いて説明する。
【０１７６】
尚、この保管コピー管理タスクは常に起動している。
【０１７７】
先ず、ＣＰＵ１２０は、デジタル複写機１００内に保管コピーがあるか否かを監視する（ステップＳ１０−１）。保管コピーがあると判別した場合、ＣＰＵ１２０は、デジタル複写機１００内に保管されているコピージョブの中から、一つのジョブを抽出する（ステップＳ１０−２）。
【０１７８】
次に、ＣＰＵ１２０は、図２４で示したような、時間経過によってジョブを管理する設定がされているか否かを判別する（ステップＳ１０−３）。ジョブ管理が設定されている場合（ステップＳ１０−３のＹＥＳに分岐）、ＣＰＵ１２０は、複数の時間経過管理設定８０４のうちいずれかの設定に該当するだけの時間が経過しているか否かを判別する（ステップＳ１０−４）。一方、ジョブ管理が設定されていない場合（ステップＳ１０−３のＮＯに分岐）、ステップＳ１０−６に進む。
【０１７９】
時間経過管理設定８０４のうちいずれかの設定に該当した場合（ステップＳ１０−４のＹＥＳに分岐）、設定された内容に従って課金処理、消去処理等が行われる（ステップＳ１０−５）。
【０１８０】
次に、ＣＰＵ２３０は、他にも保管コピージョブがあるか否かを判別し（ステップＳ１０−６）、他の保管コピージョブがある場合、ステップＳ１０−２へ戻り、他の保管コピージョブがない場合、ステップＳ１０−１へ戻る。
【０１８１】
例えば、図２４で示した例の場合、コピージョブ保管から２４時間経過していれば、これに該当する設定があるので、ＣＰＵ２３０はステップＳ１０−３でＹＥＳと判別し、１ページにつき、５円の料金が加算した課金処理を行う。また、コピージョブ保管から３時間の経過であれば、時間経過管理設定８０４のうち該当する設定がないので、ＣＰＵ２３０はステップＳ１０−３でＮＯと判別し、ステップＳ１０−６に進む。
【０１８２】
次に、図１６に示した標準画面において、ユーザが、保管コピーキー７０７を押下し、さらに図１７に示したＩＤ設定画面において、ＩＤ番号７０８及びパスワード７０９を設定し、ＯＫキー７１０を押下した後に行われる処理について、図２６〜図２８を用いて説明する。
【０１８３】
ユーザが、図１７に示すＯＫキー７１０を押下した後、その後の時間経過に伴って、図２４に示す設定情報に基づき、課金がされる場合、標準画面は図２６に示すような画面に遷移する。図２６では、ユーザに対して、ＩＤ番号８０９及び保管料金８１０を提示する。
【０１８４】
ユーザが、提示された保存料金８１０についてこれを了承し、再度、印刷を実行する場合には、ユーザはＯＫキー８１２を押下する。一方、ユーザは再度の印刷自体を中止したい場合、消去キー８１１を押下し、コピージョブを消去する。一方、ＣＰＵ１２０により、当該ジョブがすでに消去設定時間８０４を経過しているために、消去されている場合には、図２７に示す画面があらわれ、ＩＤ番号８１３とともに、ジョブがすでに消去されている旨のメッセージが表示される。
【０１８５】
また、ユーザが、図２６に示すＯＫキー８１２を押下した場合、デジタル複写機１００では、ＣＰＵ１２０により再プリントシーケンスを起動させる。これについて、図２８に示すフローチャートを用いて説明する。
【０１８６】
ここでの再プリントシーケンス処理は、上述した図１９に示した再プリントシーケンス処理とほぼ同じであるが、始めの部分で保管課金カウントが付加される点のみが異なっている。
【０１８７】
図２８に示すように、先ず、ＣＰＵ１２０は、保管課金設定がされているか否かを判別しする（ステップＳ１０−１）。保管課金設定がされている場合（ステップＳ１０−１のＹＥＳに分岐）、ＣＰＵ１２０は、保管料分の課金を算出し、通常の印刷課金にこの分を上乗せしてプリペイドカードから減算する（ステップＳ１０−２）。一方、保管課金設定がされていない場合（ステップＳ１０−１のＮＯに分岐）、ステップＳ１０−３に進む。
【０１８８】
以降、ステップＳ１０−３〜ステップＳ１０−２１の処理は、図１９に示したフローチャートのステップＳ８−１〜ステップＳ８−１９の処理と同等であるので説明を割愛する。
【０１８９】
以上、本実施の形態によれば、保管コピーに対して課金設定を行うことができ、デジタル複写機１００のユーザ使用料として保管コピー料金を徴収することが可能となる。また、保管コピーの管理設定において、所定時間経過後は、コピージョブを記憶メモリから消去させる構成にすることによって、無制限に保管コピージョブが蓄積されることでＨＤＤ資源を消費されることを防止することができる。
【０１９０】
［その他の実施例］
先述してきた実施の形態では、課金手段として、例えば、プリペイドカードを使用した場合を示したが、本発明はこれに限定されない。
【０１９１】
例えば、これを使用するカードとしてクレジットカードを使い、図１１におけるステップＳ５−５の処理に変えて、ＬＡＮ４００を介したインタネット経由で、課金情報を、例えば、クレジット会社のホストコンピュータに送信し、通常のクレジット決済と同様の手法で課金を行うように構成してもよい。
【０１９２】
また、デジタル複写機１００の本体に接続されたコインベンダーシステム（貨幣投入機構）を使用して、コインを投入した分だけコピーを許可するようなシステムにおいても本発明は適用できる。
【０１９３】
また、図１に示すＰＣ４０１の代わりに、コンビニエンスストアなどで使われるＰＯＳを接続し、図１１に示すＳ５−５の処理に代えて、課金情報を当該ＰＯＳに送信することで、レジでの清算時に本発明を適用してもよい。
【０１９４】
さらに、デジタル複写機１００に一時保管するコピージョブに対して、デジタル複写機１００側からジョブごとのＩＤ番号を発行するようにしたが、これを、ユーザがＩＤ番号を設定するように構成しても良い。また、このときそのＩＤ番号が他のユーザに対して発行済である場合には、二重の番号設定を防止するために、ユーザが既に設定済のＩＤ番号を設定しようとする場合には、警告を発するように構成することも考えられる。
【符号の説明】
【０１９５】
１００  デジタル複写機
１１０  制御部
１５０  操作部
１６０  画像蓄積部
１７０  カードＲ／Ｗ部
２００  リーダー部
２１０  スキャナユニット
２５０  原稿給紙ユニット
３００  プリンタ部
３１０  給紙ユニット
３２０  マーキングユニット
３３０  排紙ユニット
４００  ネットワーク（ＬＡＮ）
４０１、４０２  ＰＣ
５００  フィニッシャユニット
【図１】
2010252082.tif 000003
【図２】
2010252082.tif 000004
【図３】
2010252082.tif 000005
【図４】
2010252082.tif 000006
【図５】
2010252082.tif 000007
【図６】
2010252082.tif 000008
【図７】
2010252082.tif 000009
【図８】
2010252082.tif 000010
【図９】
2010252082.tif 000011
【図１０】
2010252082.tif 000012
【図１１】
2010252082.tif 000013
【図１２】
2010252082.tif 000014
【図１３】
2010252082.tif 000015
【図１４】
2010252082.tif 000016
【図１５】
2010252082.tif 000017
【図１６】
2010252082.tif 000018
【図１７】
2010252082.tif 000019
【図１８】
2010252082.tif 000020
【図１９】
2010252082.tif 000021
【図２０】
2010252082.tif 000022
【図２１】
2010252082.tif 000023
【図２２】
2010252082.tif 000024
【図２３】
2010252082.tif 000025
【図２４】
2010252082.tif 000026
【図２５】
2010252082.tif 000027
【図２６】
2010252082.tif 000028
【図２７】
2010252082.tif 000029
【図２８】
2010252082.tif 000030